(57)【要約】【課題】ベッドに寝ながら安全に音楽を楽しむ技術を提供する。【構成】スピーカー１を備えたスピーカー付きベッドパッド２において、前記スピーカーが前記スピーカーの音響発生面を上向きにして前記ベッドパッドに埋め込まれていることを特徴とするスピーカー付きベッドパッド。【選択図】図１
2006050509.tif 000002
【特許請求の範囲】
【請求項１】
スピーカー１を備えたスピーカー付きベッドパッド２において、前記スピーカーが前記スピーカーの音響発生面を上向きにして前記ベッドパッドに埋め込まれていることを特徴とするスピーカー付きベッドパッド。
【請求項２】
請求項１のスピーカー付きベッドパッドにおいて、前記ベッドパッドの４隅のうちの隣接する２隅にそれぞれ前記スピーカーを配置することを特徴とするスピーカー付きベッドパッド。
【請求項３】
請求項２のスピーカー付きベッドパッドにおいて、三角形と四角形の板を貼り合わせた構成である補強板を前記２隅に配置したスピーカーに取り付けることを特徴とするスピーカー付きベッドパッド。
【請求項４】
請求項３のスピーカー付きベッドパッドにおいてベッドパッド本体が前記三角形と四角形の板を貼り合わせた構成である補強板と密接に接触する形状に切り込まれていることを特徴とするスピーカー付きベッドパッド。
【請求項５】
請求項１から４のスピーカー付きベッドパッドにおいて、前記ベッドパッドに低周波振動発振器が備えられていることを特徴とするスピーカー付きベッドパッド。
【発明の詳細な説明】
【発明の詳細な説明】
【産業上の利用分野】
【０００１】  本発明はスピーカー付きベッドパッドに関する。
【背景技術】
【０００２】  従来、ベッドパッドに横たわった人が音楽を楽しむ場合には直方体形状のスピーカーブロックを主に使用していた。
【公知の従来技術文献】
【０００３】  特開平６−９８３８４、特開２０００−２３３０２５、特開平４−２６０２９９、特開２００１−２９３０５７
【発明が解決しようとする課題】
【０００４】  従来のスピーカー付きベッドパッドで、直方体形状のスピーカーブロックを用いる場合には寝返りをうつと頭部がスピーカーに衝突するなどの課題があった。衝突しても怪我をしないように柔らかい素材で囲んだスピーカーブロックにしたところで、うっとうしさは軽減されない課題があった。ベッドパッドに埋め込もうとすると、柔らかい寝心地感を保ちながらスピーカーを埋め込んだ部分が型崩れしないように強度を保つことは困難であった。
【課題を解決するための手段】
【０００５】  本発明のスピーカー付きベッドパッドは、スピーカー１を備えたスピーカー付きベッドパッド２において、前記スピーカーが前記スピーカーの音響発生面を上向きにして前記ベッドパッドに埋め込まれていることを第１の特徴とし、
第２に、第１の特徴に加えて、前記ベッドパッドの４隅のうちの隣接する２隅にそれぞれ前記スピーカーを配置することを特徴とし、
第３に、第２の特徴に加えて、三角形と四角形の板を貼り合わせた構成である補強板を前記２隅に配置したスピーカーに取り付けることを特徴とし、
第４に、第３の特徴に加えてベッドパッド本体が前記三角形と四角形の板を貼り合わせた構成である補強板と密接に接触する形状に切り込まれていることを特徴とし、
第５に、第１から第４の特徴に加えて、前記ベッドパッドに低周波振動発振器が備えられていることを特徴とする。
【発明を実施するための最良の形態】
【０００６】  本発明の本発明のスピーカー付きベッドパッドは、スピーカー１を備えたスピーカー付きベッドパッド２において、前記スピーカーが前記スピーカーの音響発生面を上向きにして前記ベッドパッドに埋め込まれている第１の特徴を備える場合には、人が体を横たえるベッドパッドのウレタンの中にスピーカーを埋め込んでいる。【０００７】  第１の特徴に加えて、前記ベッドパッドの４隅のうちの隣接する２隅にそれぞれ前記スピーカーを配置することを特徴とする第２の場合には、スピーカーがベッドパッドの隅に配置されている。ベッドパッド上に寝そべる人の頭部に近接する２隅にそれぞれスピーカーを埋め込むことで、寝そべる人がその耳元でステレオ音響を楽しむことができる。【０００８】  第２の特徴に加えて、三角形と四角形の板を貼り合わせた構成である補強板を前記２隅に配置したスピーカーに取り付ける第３の特徴を備える場合には、三角形と四角形という異形の２つの板で構成した補強板を用いることで、ベッドパッドがスピーカー周辺部分で折れ曲がることを抑制する。【０００９】  第３の特徴に加えてベッドパッド本体が前記三角形と四角形の板を貼り合わせた構成である補強板と密接に接触する形状に切り込まれている第４の特徴を備える場合には、ベッドパッドの２隅を前記補強板をオス型とするとメス型形状に切り込みを入れてある。このことで三角形と四角形のそれぞれの部分で補強板とベッドパッド本体とが密接に接触することでベッドパッドがスピーカー周辺部分で折れ曲がることを抑制する。【００１０】  第１から第４の特徴に加えて、前記ベッドパッドに低周波振動発振器が備えられている第５の特徴を備える場合には、可聴音を前記スピーカーで発振し、前記低周波振動発振器ではその可聴音の応じた低周波振動を人体の背骨などに伝達する。ここで可聴音に応じたという内容は１つの楽曲における可聴音をスピーカーから流して、可聴音よりも低音の低周波発振を前記低周波振動発振器で発生させる。
【実施例】
【００１１】  本発明の実施例１について説明する。図１は実施例１を説明するための構成図である。図１において、スピーカー１がベッドパッド２の隣接する２隅に配置されている。人１００は図に示すようにまくら１０１にその頭部を乗せて寝そべっている。前記スピーカーが配置されているのは人の頭部に隣接する２隅である。この２隅を今後は頭近傍コーナー部３と呼ぶことにする。図１のベッドパッドでは低周波発振器４が図のように人の腰部から脚部の周辺に配置されている。寝そべった人は楽曲の可聴音を前記スピーカーから発せられる音として聞き、その楽曲の低周波成分を前記低周波発振器から発せられる低周波振動として感じることができる。前記スピーカーの上面はベッドパッドの上面と同一の高さであるので、人が寝返りを打って上記スピーカーの上に頭部が乗っても寝心地に違和感がない。【００１２】  本発明の実施例２について説明する。ベッドパッドの頭近傍コーナーへのスピーカーアッセの取り付け方法に関する例である。図２にその構成を示す。下地パッド５としてやわらかいポリエステル系素材のマットを備える。スピーカーアッセ７の下方向部分に相当する部分を丸くくり貫いて、スピーカーアッセの振動を妨げないように設計してある。厚みは１５ｍｍである。この下地パッドの上には中パッド１１と四角パッド１３が乗せられている。中パッドは前記下地パッドと同様の形状をしているが前記頭近傍スピーカー部分が四角く切り取られている。硬めのポリエステル系素材である。前記四角パッドは高密度ウレタンである。前記四角パッドはスピーカーアッセを搭載するための穴が設けられている。前記中パッドと四角パッドの厚みは共に１５ｍｍであり、互いに糊付けされている。その上には厚み１０ｍｍの三角柱の高密度ウレタンである中間三角パッド１４が乗せられている。スピーカーアッセを搭載するための穴が設けられている。この中間三角パッドの上にスピーカーアッセ７を搭載する。上記四角パッドと中間三角パッドという異なる形状の高密度ウレタンを重ねることで折れ曲がりに対する強度が確保できる。スピーカーアッセの上には上部三角パッド８をかぶせて、その上にはスピーカーネット９、そしてさらに全体をスピーカーカバー１０が覆っている。前記上部三角パッドにはスピーカーアッセから発する音を上方に通すための穴が設けられている。【００１３】  本発明実施例２の製造方法について図３を用いて説明する。図３（あ）では中パッド１１と四角パッド１３とが互いに接着されていて、その接合体を下地パッド５の上に乗せている状態を表した。下地パッドと上記接合体とも糊付けしてある。図３（い）ではスピーカーアッセ７の搭載台となる中間三角パッド１４を上記接合体の上に糊付けした状態を描いた。略四角と略三角の形状が重なって糊付けされているので折れ曲がりに対して耐性がある。図３（う）ではスピーカーアッセ７が前記中間三角パッドの上に搭載された状態である。図３（え）ではスピーカーアッセを上部から押さえつけるためのパッドである上部三角パッド８が接着されている。図３（お）では、スピーカーネット９を乗せた状態を描いた。この後に、スピーカーカバー１０を被せて完成である。【００１４】  本発明の実施例３���ついて説明する。ベッドパッドの頭近傍コーナーへのスピーカーアッセの取り付け方法に関するもう１つの例である。図４を用いてその構成の詳細を説明する。図４において、下地パッド５は図１のベッドパッドと同様の略直方体形状である。この下地パッドのコーナー部分には図に示すように貫通円筒穴を設けてある。この貫通穴の近傍に下地三角パッド６を糊付けする。下地三角パッドには前記下地パッドの貫通穴と同一軸で同一半径の貫通穴を設けてある。この下地三角パッドの上にスピーカーアッセ７を乗せる。スピーカーアッセは略円筒状の本体部分と略正方形の板である鍔の部分で構成されている。前記スピーカーアッセの本体部分を貫通穴に通し、前記鍔の部分を前記下地三角パッドの上面に乗せる姿勢で前記スピーカーアッセを固定する。固定の方法は鍔に設けた４つの留め穴に木ネジを通して前記下地三角パッドにねじ込むこととさらに前記鍔と前記下地三角パッドとを糊付けすることを併用する。スピーカーアッセの上部には上部三角パッド８を乗せる。この上部三角パッドにはスピーカーの発振面と同じ大きさの貫通穴を設けてある。上部三角パッドの下面に糊をつけて固定する。上部三角パッドの上にはスピーカーネット９を糊付け固定してある。スピーカーネットの上には前記下部三角パッド、スピーカーアッセ、上部三角パッド、スピーカーネットの全部を覆うスピーカーカバー１０を覆いかぶせる。【００１５】  図５には図４で示したスピーカーアッセとその周囲の補強部品等を実際に組み込んだベッドパッドについて、その組込み工程を詳細に描いた。図５（あ）は、下地パッド５の上に下部三角パッド６を糊付けしてその上にスピーカーアッセ７を固定した状態を描いた。スピーカーアッセは鍔の４つの留め穴に木ネジをねじ込んである。図５（い）では上部三角パッドを糊付けした状態を描いた。図３（う）ではウレタン製の中パッド１１を糊付けした様子を描いた。この中パッドは略直方体のパッドであり、図に描くように頭近傍コーナー部が三角形状に欠けている。図５（え）ではスピーカーネット９を糊付けした様子を描いた。図５（お）では上部パッド１２を糊付けした様子を描いた。この上部パッドは前記中パッドと同様の形状であるが、頭近傍コーナー部の形状が異なる。中パッドでは三角形状に欠けた形状であったが、上部パッドはスピーカーネットの四角の部分をくり貫いた形状である。図５（お）にはスピーカーカバー１０を貼り付けた状態を示した。このように製造することでこの頭近傍コーナー部が折れるなどの損傷を追うことがなく形状を保つことができる。
【発明の効果】
【００１６】  本発明のスピーカー付きベッドマットを用いると、寝ながら安全に音楽を楽しむことができる。ベッドパッドに低周波発振器を備える場合には可聴音と低周波振動の両方を感じてリラックスすることで体を効果的に休息させられる。
【図面の簡単な説明】
【図１】本発明の実施例１を示す構成図である。
【図２】本発明の実施例２を示す構成図である。
【図３】本発明の実施例２を示す製造工程図である。
【図４】本発明の実施例３を示す構成図である。
【図５】本発明の実施例３を示す製造工程図である。
【符号】
１はスピーカー、２はベッドパッド、３は頭近傍コーナー部、４は低周波発振器、５は下地パッド、６は下部三角パッド、７はスピーカーアッセ、８は上部三角パッド、９はスピーカーネット、１０はスピーカーカバー、１１は中パッド、１２は上部パッド、１３は四角パッド、１４は中間三角パッド、１００は人、１０１は枕である。
【図１】
2006050509.tif 000003
【図２】
2006050509.tif 000004
【図３】
2006050509.tif 000005
【図３】
2006050509.tif 000006
【図３】
2006050509.tif 000007
【図３】
2006050509.tif 000008
【図４】
2006050509.tif 000009
【図５】
2006050509.tif 000010
【図５】
2006050509.tif 000011
【図５】
2006050509.tif 000012
【手続補正書】
【提出日】平成16年10月2日(2004.10.2)
【手続補正１】
【補正対象書類名】図面
【補正対象項目名】全図
【補正方法】変更
【補正の内容】
【図１】
2006050509.tif 000013
【図２】
2006050509.tif 000014
【図３】
2006050509.tif 000015
【図４】
2006050509.tif 000016
【図５】
2006050509.tif 000017
【図６】
2006050509.tif 000018
【図７】
2006050509.tif 000019
【図８】
2006050509.tif 000020
【図９】
2006050509.tif 000021
【図１０】
2006050509.tif 000022
【図１１】
2006050509.tif 000023
【図１２】
2006050509.tif 000024
【図１３】
2006050509.tif 000025
【図１４】
2006050509.tif 000026
【手続補正２】
【補正対象書類名】明細書
【補正対象項目名】全文
【補正方法】変更
【補正の内容】
【発明の詳細な説明】
【技術分野】
【０００１】    本発明はスピーカー付きベッドパッドに関する。
【背景技術】
【０００２】  従来、ベッドパッドに横たわった人が音楽を楽しむ場合には直方体形状のスピーカーブロックを主に使用していた。
【公知の従来技術文献】
【０００３】  特開平６−９８３８４、特開２０００−２３３０２５、特開平４−２６０２９９、特開２００１−２９３０５７
【発明が解決しようとする課題】
【０００４】  従来のスピーカー付きベッドパッドで、直方体形状のスピーカーブロックを用いる場合には寝返りをうつと頭部がスピーカーに衝突するなどの課題があった。衝突しても怪我をしないように柔らかい素材で囲んだスピーカーブロックにしたところで、うっとうしさは軽減されない課題があった。ベッドパッドに埋め込もうとすると、柔らかい寝心地感を保ちながらスピーカーを埋め込んだ部分が型崩れしないように強度を保つことは困難であった。
【課題を解決するための手段】
【０００５】  本発明のスピーカー付きベッドパッドは、スピーカー１を備えたスピーカー付きベッドパッド２において、前記スピーカーが前記スピーカーの音響発生面を上向きにして前記ベッドパッドに埋め込まれていることを第１の特徴とし、
第２に、第１の特徴に加えて、前記ベッドパッドの４隅のうちの隣接する２隅にそれぞれ前記スピーカーを配置することを特徴とし、
第３に、第２の特徴に加えて、三角形と四角形の板を貼り合わせた構成である補強板を前記２隅に配置したスピーカーに取り付けることを特徴とし、
第４に、第３の特徴に加えてベッドパッド本体が前記三角形と四角形の板を貼り合わせた構成である補強板と密接に接触する形状に切り込まれていることを特徴とし、
第５に、第１から第４の特徴に加えて、前記ベッドパッドに低周波振動発振器が備えられていることを特徴とする。
【発明を実施するための最良の形態】
【０００６】  本発明の本発明のスピーカー付きベッドパッドは、スピーカー１を備えたスピーカー付きベッドパッド２において、前記スピーカーが前記スピーカーの音響発生面を上向きにして前記ベッドパッドに埋め込まれている第１の特徴を備える場合には、人が体を横たえるベッドパッドのウレタンの中にスピーカーを埋め込んでいる。【０００７】  第１の特徴に加えて、前記ベッドパッドの４隅のうちの隣接する２隅にそれぞれ前記スピーカーを配置することを特徴とする第２の場合には、スピーカーがベッドパッドの隅に配置されている。ベッドパッド上に寝そべる人の頭部に近接する２隅にそれぞれスピーカーを埋め込むことで、寝そべる人がその耳元でステレオ音響を楽しむことができる。【０００８】  第２の特徴に加えて、三角形と四角形の板を貼り合わせた構成である補強板を前記２隅に配置したスピーカーに取り付ける第３の特徴を備える場合には、三角形と四角形という異形の２つの板で構成した補強板を用いることで、ベッドパッドがスピーカー周辺部分で折れ曲がることを抑制する。【０００９】  第３の特徴に加えてベッドパッド本体が前記三角形と四角形の板を貼り合わせた構成である補強板と密接に接触する形状に切り込まれている第４の特徴を備える場合には、ベッドパッドの２隅を前記補強板をオス型とするとメス型形状に切り込みを入れてある。このことで三角形と四角形のそれぞれの部分で補強板とベッドパッド本体とが密接に接触することでベッドパッドがスピーカー周辺部分で折れ曲がることを抑制する。【００１０】  第１から第４の特徴に加えて、前記ベッドパッドに低周波振動発振器が備えられている第５の特徴を備える場合には、可聴音を前記スピーカーで発振し、前記低周波振動発振器ではその可聴音の応じた低周波振動を人体の背骨などに伝達する。ここで可聴音に応じたという内容は１つの楽曲における可聴音をスピーカーから流して、可聴音よりも低音の低周波発振を前記低周波振動発振器で発生させる。
【実施例】
【００１１】  本発明の実施例１について説明する。図１は実施例１を説明するための構成図である。図１において、スピーカー１がベッドパッド２の隣接する２隅に配置されている。人１００は図に示すようにまくら１０１にその頭部を乗せて寝そべっている。前記スピーカーが配置されているのは人の頭部に隣接する２隅である。この２隅を今後は頭近傍コーナー部３と呼ぶことにする。図１のベッドパッドでは低周波発振器４が図のように人の腰部から脚部の周辺に配置されている。寝そべった人は楽曲の可聴音を前記スピーカーから発せられる音として聞き、その楽曲の低周波成分を前記低周波発振器から発せられる低周波振動として感じることができる。前記スピーカーの上面はベッドパッドの上面と同一の高さであるので、人が寝返りを打って上記スピーカーの上に頭部が乗っても寝心地に違和感がない。【００１２】本発明の実施例２について説明する。ベッドパッドの頭近傍コーナーへのスピーカーアッセの取り付け方法に関する例である。図２にその構成を示す。下地パッド５としてやわらかいポリエステル系素材のマットを備える。スピーカーアッセ７の下方向部分に相当する部分を丸くくり貫いて、スピーカーアッセの振動を妨げないように設計してある。厚みは１５ｍｍである。この下地パッドの上には中パッド１１と四角パッド１３が乗せられている。中パッドは前記下地パッドと同様の形状をしているが前記頭近傍スピーカー部分が四角く切り取られている。硬めのポリエステル系素材である。前記四角パッドは高密度ウレタンである。前記四角パッドはスピーカーアッセを搭載するための穴が設けられている。前記中パッドと四角パッドの厚みは共に１５ｍｍであり、互いに糊付けされている。その上には厚み１０ｍｍの三角柱の高密度ウレタンである中間三角パッド１４が乗せられている。スピーカーアッセを搭載するための穴が設けられている。この中間三角パッドの上にスピーカーアッセ７を搭載する。上記四角パッドと中間三角パッドという異なる形状の高密度ウレタンを重ねることで折れ曲がりに対する強度が確保できる。スピーカーアッセの上には上部三角パッド８をかぶせて、その上にはスピーカーネット９、そしてさらに全体をスピーカーカバー１０が覆っている。前記上部三角パッドにはスピーカーアッセから発する音を上方に通すための穴が設けられている。【００１３】本発明実施例２の製造方法について図３、４，５，６，７を用いて説明する。図３では中パッド１１と四角パッド１３とが互いに接着されていて、その接合体を下地パッド５の上に乗せている状態を表した。下地パッドと上記接合体とも糊付けしてある。図４ではスピーカーアッセ７の搭載台となる中間三角パッド１４を上記接合体の上に糊付けした状態を描いた。略四角と略三角の形状が重なって糊付けされているので折れ曲がりに対して耐性がある。図５ではスピーカーアッセ７が前記中間三角パッドの上に搭載された状態である。図６ではスピーカーアッセを上部から押さえつけるためのパッドである上部三角パッド８が接着されている。図７では、スピーカーネット９を乗せた状態を描いた。この後に、スピーカーカバー１０を被せて完成である。【００１４】本発明の実施例３について説明する。���ッドパッドの頭近傍コーナーへのスピーカーアッセの取り付け方法に関するもう１つの例である。図８を用いてその構成の詳細を説明する。図８において、下地パッド５は図１のベッドパッドと同様の略直方体形状である。この下地パッドのコーナー部分には図に示すように貫通円筒穴を設けてある。この貫通穴の近傍に下地三角パッド６を糊付けする。下地三角パッドには前記下地パッドの貫通穴と同一軸で同一半径の貫通穴を設けてある。この下地三角パッドの上にスピーカーアッセ７を乗せる。スピーカーアッセは略円筒状の本体部分と略正方形の板である鍔の部分で構成されている。前記スピーカーアッセの本体部分を貫通穴に通し、前記鍔の部分を前記下地三角パッドの上面に乗せる姿勢で前記スピーカーアッセを固定する。固定の方法は鍔に設けた４つの留め穴に木ネジを通して前記下地三角パッドにねじ込むこととさらに前記鍔と前記下地三角パッドとを糊付けすることを併用する。スピーカーアッセの上部には上部三角パッド８を乗せる。この上部三角パッドにはスピーカーの発振面と同じ大きさの貫通穴を設けてある。上部三角パッドの下面に糊をつけて固定する。上部三角パッドの上にはスピーカーネット９を糊付け固定してある。スピーカーネットの上には前記下部三角パッド、スピーカーアッセ、上部三角パッド、スピーカーネットの全部を覆うスピーカーカバー１０を覆いかぶせる。【００１５】図９、１０、１１、１２、１３、１４には図８で示したスピーカーアッセとその周囲の補強部品等を実際に組み込んだベッドパッドについて、その組込み工程を詳細に描いた。図９は、下地パッド５の上に下部三角パッド６を糊付けしてその上にスピーカーアッセ７を固定した状態を描いた。スピーカーアッセは鍔の４つの留め穴に木ネジをねじ込んである。図１０では上部三角パッドを糊付けした状態を描いた。図１１ではウレタン製の中パッド１１を糊付けした様子を描いた。この中パッドは略直方体のパッドであり、図に描くように頭近傍コーナー部が三角形状に欠けている。図１２ではスピーカーネット９を糊付けした様子を描いた。図１３では上部パッド１２を糊付けした様子を描いた。この上部パッドは前記中パッドと同様の形状であるが、頭近傍コーナー部の形状が異なる。中パッドでは三角形状に欠けた形状であったが、上部パッドはスピーカーネットの四角の部分をくり貫いた形状である。図１４にはスピーカーカバー１０を貼り付けた状態を示した。このように製造することでこの頭近傍コーナー部が折れるなどの損傷を追うことがなく形状を保つことができる。
【発明の効果】
【００１６】  本発明のスピーカー付きベッドマットを用いると、寝ながら安全に音楽を楽しむことができる。ベッドパッドに低周波発振器を備える場合には可聴音と低周波振動の両方を感じてリラックスすることで体を効果的に休息させられる。
【図面の簡単な説明】
【図１】本発明の実施例１を示す構成図である。
【図２】本発明の実施例２を示す構成図である。
【図３】本発明の実施例２を示す製造工程の第１ステップである。
【図４】本発明の実施例２を示す製造工程の第２ステップである。
【図５】本発明の実施例２を示す製造工程の第３ステップである。
【図６】本発明の実施例２を示す製造工程の第４ステップである。
【図７】本発明の実施例２を示す製造工程の第５ステップである。
【図８】本発明の実施例３を示す構成図である。
【図９】本発明の実施例３を示す製造工程の第１ステップである。
【図１０】本発明の実施例３を示す製造工程の第２ステップである。
【図１１】本発明の実施例３を示す製造工程の第３ステップである。
【図１２】本発明の実施例３を示す製造工程の第４ステップである。
【図１３】本発明の実施例３を示す製造工程の第５ステップである。
【図１４】本発明の実施例３を示す製造工程の第６ステップである。
【符号の説明】
１はスピーカー、２はベッドパッド、３は頭近傍コーナー部、４は低周波発振器、５は下地パッド、６は下部三角パッド、７はスピーカーアッセ、８は上部三角パッド、９はスピーカーネット、１０はスピーカーカバー、１１は中パッド、１２は上部パッド、１３は四角パッド、１４は中間三角パッド、１００は人、１０１は枕である。